(57)【特許請求の範囲】
【請求項１】
回転可能な特別選別体（１０１）を有し、特定入賞口（３）に入った遊技球は第１検出器（５）で検出された後に流下して前記特別選別体（１０１）によって特別入賞口（１０３）か普通入賞口（１０２）の何れかに導かれ、前記特別入賞口（１０３）に入賞することによって、遊技者に有利となる遊技機であって、
前記第１検出器（５）で検出された遊技球が、特別選別体（１０１）に到るまでに要する所要時間（Δｔ）は予め既知であり、
前記特別選別体（１０１）に形成の特定の凹部（５０ａ）を検出する毎にタイマーを始動してサイクル時間（Ｔ）を決めると共に、そのサイクル時刻において特別入賞口（１０３）か普通入賞口（１０２）の何れに入賞するかを対応させ、
特定入賞口（３）に入った遊技球を第１検出器（５）で検出する時刻（ｔ１）から前記所要時間（Δｔ）を考慮した時刻が前記サイクル時間（Ｔ）の何れに対応するかによって、前記第１検出器（５）で検出された遊技球が特別選別体（１０１）によって特別入賞口（１０３）に入賞する確率を報知手段で報知することを特徴とする遊技機。
【請求項２】
前記所要時間（Δｔ）はバラツキ時間（±ａ）を考慮した時間（Δｔ±ａ）として、特別入賞口（１０３）に入賞する確率を求めることを特徴とする請求項１の遊技機。
【発明の詳細な説明】
【０００１】
【発明の属する技術分野】
本発明は、遊技機に於ける大当たり等を生起する確率を報知することに関する。
【０００２】
【従来の技術】
従来の遊技機は、ゲームの趣向を向上させるために、多数の釘で誘導された遊技球が特定入賞口に導かれた後、例えば回転する遊技球振分器を介して一定の割合で、特別入賞口に入賞すると、大当たりとして取り扱っている。
そして、この入賞球に対して、抽選手段を介して、大当たり（特別遊技状態）に於ける、遊技者に有利な多量の賞品球の払出を可能にする「ラウンド数」の選定を行っている。
尚、このラウンド数は、大入賞口の扉が所定時間、開成状態を維持するが、入賞球の数が所定数になったとき閉成する操作を１ラウンドと称する回数のことであり、例えば、５ラウンド、１０ラウンド、１５ラウンドの何れかが選定されるので、遊技者は、多いラウンド数が選定されることを望む。
【０００３】
【発明が解決しようとする課題】
前記した様に、特定入賞口からの遊技球は、遊技球振分器を介して特別入賞口に導かれるか否か、即ち、遊技者に有利な大当たり等が生起するか否かに関する情報は遊技者に知らされていない。
そこで、本発明は、遊技球が特定入賞口に入賞したタイミングによって、遊技球振分器を介して、特別入賞口に導かれる確率の予測を報知し、従来にない、遊技の面白味を発揮する遊技機を提供するものである。
【０００４】
【課題を解決するための手段】
請求項１の遊技機は、回転可能な特別選別体（１０１）を有し、特定入賞口（３）に入った遊技球は第１検出器（５）で検出された後に流下して前記特別選別体（１０１）によって特別入賞口（１０３）か普通入賞口（１０２）の何れかに導かれ、前記特別入賞口（１０３）に入賞することによって、遊技者に有利となる。
又、この遊技機は第１検出器（５）で検出された遊技球が、特別選別体（１０１）に到るまでに要する所要時間（Δｔ）は測定されていて、その所要時間は予め判っている。
又、特定入賞口（３）に入った遊技球を第１検出器（５）で検出する毎にタイマーを始動してサイクル時間（Ｔ）を決めると共に、そのサイクル時刻において特別入賞口（１０３）か普通入賞口（１０２）の何れに入賞するかを対応させてある。
そこで、特定入賞口（３）に入った遊技球を第１検出器（５）で検出する時刻（ｔ１）から前記所要時間（Δｔ）を考慮した時刻が、前記サイクル時間（Ｔ）の何れに対応するかによって、前記第１検出器（５）で検出された遊技球が特別選別体（１０１）によって特別入賞口（１０３）に入賞する確率が判り、その結果を報知手段で報知するので、興趣の向上を図ることができる。
又、請求項２の遊技機は、請求項１の遊技機に用いる所要時間として、バラツキ時間（±ａ）を考慮した所要時間を用いる。この所要時間（ａ−Δｔ〜ａ＋Δｔ）は、サイクル時間の何処、即ち、特別入賞口（１０３）か普通入賞口（１０２）の何れか、それとも双方かによって、特別入賞口（１０３）に入賞する確率が異なる。
【０００５】
【発明の実施の形態】
図１（正面図）は遊技機としてのパチンコ機であり、発射装置のハンドル８２の操作により、遊技球が供給皿８６からの１球毎、供給され、遊技盤に垂直に取り付けてある所定幅の薄板で製作の内レール８３ａと外レール８３ｂで形成する遊技領域８９に発射する。又、内レール８３ａの下部には、前記発射された遊技球のうち、入賞しなかった遊技球を受け入れるアウト口８５が形成してある。又、遊技領域８９の左右端には、サイドランプ８８が備えてある。
前記供給皿８６の下には貯留皿８７が配設してあって、供給皿８６が満杯となったときオーバーフローした賞品球を貯留する。
【０００６】
遊技領域８９には、入賞すると所定個数の賞品球の払出を行う入賞口９１ａ、９１ｂ、９４ｂや、遊技球が後述する特別入賞装置Ｌにおける特定入賞口３（３ａ、３ｂ、３ｃ）に入賞し易く、開閉扉４を開成状態にする装置入賞口９４ａが配置してある。
また、前記特別入賞装置Ｌの下部には、遊技者に有利な大当たり（特別遊技状態）が生起したときの価値として、大入賞口の大扉９０ａを開成して、多量の賞品球の払い出しを可能にする大入賞器９０が配置してある。
【０００７】
尚、この特別遊技状態が生起したときには、予め設定された複数種の遊技価値があり、価値抽選手段によって選定される。この遊技価値として、ラウンド数があり、このラウンド数は、大入賞口の大扉９０ａが所定時間、開成状態を維持するが、入賞球の数が所定数になったとき閉成する操作を１ラウンドと称する回数のことであり、例えば、５ラウンド、１０ラウンド、１５ラウンドの何れかが、本実施例では設定してある。尚、この遊技価値は、遊技機の形式によって異なることは言うまでもない。
【０００８】
次に、遊技領域８９の中央に配設の特別入賞装置Ｌについて図面を参照して説明する。
図２は特別入賞装置Ｌの正面図、図３は図２のＡ〜Ａ断面図、図４は図３のＢ〜Ｂ矢視図、図５は裏面図、図６は図２のＣ〜Ｃ断面図である。
特別入賞装置Ｌは正面視、略玉子形状であって、頂部には、所謂、遊技球が入賞し易い状態と、し難い状態に変更可能な開閉扉４が取り付けてあり、前記装置入賞口９４ａに遊技球が入賞すると、この開閉扉４は所定時間、開成状態を維持して入賞しやすい状態になる。
【０００９】
また、その開閉扉４の下の正面には、種々の情報を遊技者に報知する報知手段（液晶式等の表示器、音声による音声発生器等）Ｈが備えてある。
そして、この報知手段Ｈの下部には、開閉扉４の開成時に入賞した遊技球を受け入れる、正面から裏面に向かって入口体２が、又、該入口体２の裏面部の下には第１振分器１０、第２振分器１５が配設してあり、更に、その下には入賞受体２０が配設してある。
尚、特別入賞装置Ｌには、前記第１振分器１０と第２振分器１５が裏面側に配設してあるために、入口体２と入賞受体２０間には空間３０が形成してある。また、５１は特別入賞装置Ｌを遊技板に取り付けるねじ孔が形成された取付体である。
【００１０】
入口体２の入口２ａは矩形状に形成され、前記開閉扉４が開成時に入口２ａに入った遊技球は、図３に示す右方向に転換して裏面側に転がって、特定入賞口３（３ａ、３ｂ、３ｃ）の何れかに入る（図４）。なお、これらの特定入賞口３ａ、３ｂ、３ｃの下部には、第１検出器（通過近接スイッチ式等）５（５ａ、５ｂ、５ｃ）が設置してあって落球する遊技球を検出する。
そして、第１検出器５（５ａ、５ｂ、５ｃ）で遊技球を検出すると、特別遊技状態が生起したときの価値（ラウンド数）を選定する価値選定手段によって、抽選が実施され、その結果は、大入賞器９０に付設の報知手段（図柄表示器）９９に表示されると共に、後記で詳述するが、大当たりとなる確率を報知手段Ｈを介して遊技者に報知する。尚、この報知手段は、図柄表示の他に音声等、他の媒体を介して遊技者に報知してもよい。
【００１１】
また、前記第１検出器５（５ａ、５ｂ、５ｃ）は、全ての特定入賞口３ａ、３ｂ、３ｃに対応して設置する必要はなく、例えば、特定入賞口３ｂだけに設置することによって、即ち、特定入賞口に入賞した遊技球の中には第１検出器５で検出しない遊技球があることによって、後述する特別遊技状態が生起したときに、選定されるラウンド数を報知する場合と報知しない場合に構成できるし、更に、大当たりとなる確率を報知手段Ｈに報知する場合と報知しない場合が生じ、新たな面白味を発揮する。尚、特定入賞口３の数は２以上であればよい。
【００１２】
次に、前記第１振分器１０は３個の凹部５０ａ、５０ｂ、５０ｂが形成されている回転体１１を有し、この回転体１１は、本体の裏面に設けてある取付体４９に固定のモータ１２の回転軸５２を介して、所定時間で１回転する。
又、同様に、第２振分器１５も３個の凹部５０ａ、５０ｂ、５０ｂが形成されている回転体１６を有し、この回転体１６は、本体の裏面に設けてある取付体４９に固定のモータ１７の回転軸５３を介して、所定時間で１回転する。
【００１３】
尚、回転体１１、１６に形成されている３個の凹部５０ａ、５０ｂ、５０ｂの形状は、回転体１１においては反時計方向に回転することによって、凹部に入った遊技球は出口３３、３５の何れかから、又、回転体１６においては時計方向に回転することによって、凹部に入った遊技球は出口４２、５５の何れかから排出可能に形成されている。
具体的に、反時計方向に回転する回転体１１においては、凹部５０ａは傾斜状の玉子型であって、該凹部５０ａに入った遊技球は出口３３からではなく、出口３５から排出可能に、一方の凹部５０ｂは半円形状であって、出口３３から排出できるように形成されている。
【００１４】
又、時計方向に回転する回転体１６においては、凹部５０ａは回転体１１と同様に傾斜状の玉子型であって、該凹部５０ａに入った遊技球は出口４２からではなく、出口５５から排出可能に、一方の凹部５０ｂは半円形状であって、出口４２から排出できるように形成されている。尚、時計方向と反時計方向に特定角度の回転を繰り返すようにモータ１２、１７を制御する場合には、前記凹部５０ａ、５０ｂの形状は同じ形状に形成することができる。
【００１５】
前記回転体１１及び回転体１６の前面には、該回転体１１、１６に入った入賞球が落球しないように透明樹脂カバー１８で覆われているが、図２は取り外した状態図を示している。
図６（図２のＣ〜Ｃ断面図）は、入賞受体２０の平面を示し、円形状の周囲には底面部２２より高い周り段２１が形成されていると共に、該底面部２２には特別出口２３が設けてある。
又、この入賞受体２０の下部には、前記回転体１１と同様な、モータ１０１ａによって反時計方向に、所定時間で１回転する特別選別体１０１が設けてあると共に、その左右下部には普通入賞口１０２と特別入賞口１０３が形成してある。
そのため、前記特別出口２３からの遊技球が、特別選別体１０１の凹部５０ａに入ると、その遊技球は特別入賞口１０３に入賞し、一方の凹部５０ｂ、５０ｂは半円形状であって、普通入賞口１０２に入賞するように形成されている。
そして、前記特別入賞口１０３に入賞すると、第２検出器（通過近接スイッチ式等）（図示略）によって検出されて、遊技者に有利な大当たり（特別遊技状態）を生起し、普通入賞口１０２に入賞すると所定数の賞品球の払出をする。
【００１６】
次に、遊技球の連絡路について図２を参照して説明すると、前記入口体２の特定入賞口３ａは、直接、入賞受体２０に導くように第５連絡路４１が形成されている。
又、入口体２の特定入賞口３ｂは、第１振分器１０の入口４８に導くように、特定入賞口３から一対の仕切板３１で区画してあり、第１連絡路３２が形成されている。
回転体１１の左下部には、出口３３が穿設され、第２連絡路３４を介して特別入賞装置Ｌの外に導かれる。一方、右下部に穿設されている出口３５からは、穿設孔３７に導通する第３連絡路３８が形成されていて、最終的に遊技球が第２振分器１５の入口３６に導かれる。
【００１７】
又、前記入口体２の特定入賞口３ｃからの遊技球は、直接に第２振分器１５の入口３６に導かれるように、特別入賞装置Ｌの前面に、第４連絡路３９が形成されている。第２振分器の回転体１６の右下部には出口４２が穿設されていて、第６連絡路４３を介して特別入賞装置Ｌの外へ排出される。
一方、回転体１６の左下部に形成されている出口５５からは第５連絡路４１と連通している第７連絡路４４が形成されていて、該第５連絡路４１を介して入賞受体２０へ導かれる。
【００１８】
次に、前記構成の遊技機における特別遊技状態が生起する場合について、図７〜図１０をも参照して説明する。
（Ａ）特定入賞口３ａに入った遊技球
（１）先ず、遊技球が、装置入賞口９４ａに入賞すると、特別入賞装置Ｌにおける特定入賞口３に入賞し易くする開閉扉４が所定時間、開成状態になる。
（２）そして、入口体２に入った遊技球が、特定入賞口３ａ、３ｂ、３ｃの何れかに導かれ、特定入賞口３ａに入った遊技球Ｐは、第１検出器５ａで検出される。
【００１９】
（３）この第１検出器５ａが遊技球を検出すると、特別遊技状態が生起したときのラウンド数を選定する価値選定手段によって、抽選が実施され、その結果は、大入賞器９０に付設の報知手段（図柄表示器）９９に表示される。
そのため、遊技者は、報知手段９９に表示されたラウンド数が、特別遊技状態が生起したとき得られるラウンド数であることが判り、前記遊技球のその後の行方に興味をもって見守ることになる。
（４）そして、第１検出器５ａで検出された後の遊技球Ｐは、図７に示すように第５連絡路４１を介して、直接、入口４０から入賞受体２０の周り段２１に入り（遊技球Ｐは図示Ｐ１、Ｐ２、Ｐ３の経路で落下する。）、落下の勢いで周り段２１上を周り、やがて底面部２２に落下した後、特別出口２３に導かれ、その後、特別選別体１０１の凹部５０ａ、５０ｂ、５０ｂの何れかに入って、普通入賞口１０２或いは、特別入賞口１０３に入る。
そして、特別入賞口１０３に入賞すると、第２検出器で検出されて大当たりが生起し、前記選定されたラウンド数に対して、大入賞口の大扉９０ａが所定時間、開成状態を維持するが、入賞球の数が所定数になったとき閉成する操作を実施する。
【００２０】
又、前記報知手段（図柄表示器）９９に表示され他に、前記第１検出器５ａが遊技球を検出すると、特別入賞口１０３に入賞する確率を報知手段Ｈを介して遊技者に報知する。
この確率は、マクロ的には特別選別体１０１の凹部５０ａ、５０ｂ、５０ｂの何れかに入賞し、且つ、大当たりが生起するのは凹部５０ａであるので、確率は１／３である。
しかし、遊技球が第１検出器５ａで検出される時刻に対し、特別選別体１０１の凹部５０ａ、５０ｂ、５０ｂの位置が既知であると、何れの凹部５０ａ、５０ｂ、５０ｂに入賞するかは、第１検出器５ａで検出される時刻によって、更に、確かさを向上して予測することができる。
【００２１】
そこで、特別選別体１０１の凹部５０ａ、５０ｂ、５０ｂの位置は、例えば、特別選別体１０１に検出器を付設し、この検出器で凹部５０ａの位置を検出する毎に、タイマを起動させる。
次に、この確率の算定を具体的に説明すると、特別選別体１０１はａ秒で１回転すると、図１０（Ａ）（Ｂ）に示すように、前記タイマＴに対し、凹部５０ａ、５０ｂ、５０ｂが対応する。
今、遊技球が第１検出器５ａで検出された時刻ｔ１とすると、特別選別体１０１の凹部５０ｂに対応するが、この凹部５０ｂに入賞することはない。その理由は、遊技球が第１検出器５ａで検出された後に、第５連絡路４１、入賞受体２０に入り、底面部２２を種々の形態で転動しながら特別出口２３に導かれて時間のずれが生じるからであり、この所要時間Δｔにはバラツキがあるが、バラツキを考慮した所要時間Δｔ±ａは予め測定しておくことができる。
【００２２】
従って、この所要時間Δｔ±ａを考慮すると、時間ｔ１＋Δｔ±ａにおいて、特別選別体１０１の凹部５０ａ、５０ｂ、５０ｂの何れに入賞するか、予測がつくし、その確率は時間の長さで算出する。
例えば、図１０（Ａ）に示すように、時間ｔ１＋Δｔ±ａが、特別選別体１０１の凹部５０ｂに該当する場合には、大当たりは生起しない可能性が高いので、確率は、例えば、「３」或いは「０〜３」のように報知手段Ｈを介して行う。
しかし、時間ｔ１＋Δｔ±ａが、特別選別体１０１の凹部５０ｂ、５０ａにわたって存在するときには、大当たりは凹部５０ａに対応する長さ（時間）で生起する可能性があるので、その割合を確率として、例えば、「４０」または「３０〜５０」と報知する。
以上のように、特別選別体１０１の凹部５０ａ、５０ｂ、５０ｂの位置を知り、且つ、所要時間Δｔ±ａが判っていると、遊技球が第１検出器５ａで検出されたとき、この遊技球が大当たりなるか否かの確率を予測でき、その予測を報知手段で遊技者に報知することは有意義であるし、特に、前記した様に、種々の形態で転動する底面部２２を用いることによって、所要時間にバラツキがあるので、報知手段Ｈに報知する情報は、不確かさを含んでいるので、更に面白味を発揮する。
尚、この確率は数字の他、図柄等を介して報知してもよいし、音声等を介して行ってもよい。
【００２３】
そして、特別入賞口１０３に入賞すると、第２検出器（通過近接スイッチ式等）（図示略）によって検出されて、大当たり（特別遊技状態）を生起し、前記選定されたラウンド数に対して、大入賞口の大扉９０ａが所定時間、開成状態を維持するが、入賞球の数が所定数になったとき閉成する操作を実施する。
尚、この特定入賞口３ａに入った場合は、より短時間で特別遊技状態が生起するか否か判るし、前記報知手段９９で前もって価値が選定されていることによる、楽しみと落胆を味わえる。
【００２４】
（Ｂ）特定入賞口３ｂに入った遊技球
この特定入賞口３ｂに入った遊技球Ｐは（図８参照）、第１検出器５ｂで検出され、前記第１検出器５ａで検出されたときと同様に、価値選定手段による結果が大入賞器９０に付設の報知手段（図柄表示器）９９に表示されるので、遊技者は特別遊技状態が生起するか否か、前記報知手段９９で前もって価値が選定されているか否かを知ることによる、楽しみと落胆が味わえる。
その後、遊技球Ｐは、モータ１２を介して反時計方向に回転される回転体１１に形成されている凹部５０ａ、５０ｂの何れかに入り、凹部５０ｂに入った遊技球は出口３３から第２連絡路３４を介して特別入賞装置Ｌの外へ排出される。
【００２５】
一方、凹部５０ａに入った遊技球Ｐは、出口３３を通過した後に出口３５から排出され、第３連絡路３８、穿設孔３７を介して第２振分器１５の入口３６に導かれる（遊技球、Ｐ１、Ｐ２）。
即ち、第１振分器１０では、確率１／３で特別遊技状態を得る機会が維持されるように形成されている。又、該遊技球Ｐ２は、前記と同様に、モータ１７で時計方向に回転する第２振分器１５の回転体１６に形成されている何れかの凹部５０ａ、５０ｂに入る。凹部５０ｂに入った遊技球は、出口４２から第６連絡路４３を介して特別入賞装置Ｌの外へ排出される。
一方、凹部５０ａに入った遊技球Ｐ３は、出口５５から第７連絡路４４及び第５連絡路４１を介して入賞受体２０へ導かれる。そして、第２振分器１５への遊技球の入賞確率は１／３となるように形成されている。
以上のように、特定入賞口３ｂに入った遊技球は、第１振分器１０と第２振分器１５によってふるい落とされた後に、入賞受体２０及び特別選別体１０１へ導かれ、特別遊技状態が生起するか否か興味をもって、遊技球の行方を見ることができる。
【００２６】
尚、前記第１振分器１０における、大当たりになる確率は、マクロ的には１／３であるが、前記特定入賞口３ａに入った遊技球と同様に、第１振分器１０における凹部５０ａ、５０ｂ、５０ｂの位置を知り（位置検出とタイマは特別選別体１０１と同じ構成）、且つ、第１検出器５ｂで検出された後に第１振分器１０に到るまでの所要時間Δｘ±ｂが判っていると、遊技球が第１検出器５ｂで検出されたとき、大当たりとなる可能性がある第２振分器１５の入口３６に導かれるか、外れになるか予測することができる。
次に、前記所要時間Δｘ±ｂ後に、第２振分器１５における凹部５０ａ、５０ｂ、５０ｂの位置を知り（位置検出とタイマは特別選別体１０１と同じ構成）、且つ、第１振分器１０から第２振分器１５に到るまでの所要時間Δｙ±ｃが判っていると、遊技球が第１検出器５ｂで検出されたとき、大当たりとなる可能性がある第７連絡路４４及び第５連絡路４１を介して入賞受体２０へ導かれるかの予測ができる。
【００２７】
そして、その後は、前記第１検出器５ａで検出された後の遊技球Ｐと同様に、特別選別体１０１の位置と所要時間Δｚ±ｃ’によって、特別選別体１０１の凹部５０ａ、５０ｂ、５０ｂの位置を知ることによって特別入賞口１０３に入賞するか否かの確率を予測することができる。
以上のように、特定入賞口３ｂに入った遊技球が、第１検出器５ｂで検出されると、第１振分器１０、第２振分器１５及び特別選別体１０１の凹部５０ａ、５０ｂ、５０ｂの位置が判り、且つ、各々の遊技球が落球する時間が予め判っているので、大当たりを生起するか否かの確率を予測することができる。
従って、この予想確率を報知手段Ｈを介して遊技者に報知することは、遊技を面白くする。
尚、前記に於ける報知手段Ｈは、特別選別体１０１までを考慮しての大当たりを生起する確率を報知する旨であるが、先ず、第１振分器１０、次に、第２振分器１５、特別選別体１０１に対する大当たりを生起する確率のように、順次、報知する構成であってもよい。
【００２８】
（Ｃ）特定入賞口３ｃに入った遊技球
この特定入賞口３ｃからの遊技球Ｐ１（図９参照）は、第１検出器５ｃで検出されると、価値選定手段による結果が大入賞器９０に付設の報知手段（図柄表示器）９９に表示される。
その後、遊技球Ｐ１は、第４連絡路３９を介して、直接に、第２振分器１５の入口３６に導かれ（Ｐ２）、以後は前記第２振分器１５におけると同様に振り分けられて、短時間で遊技球が入賞するか否か判別可能になっている。
以上のように、特定入賞口３ｃに入った遊技球は、第２振分器１５によってふるい落とされた後に入賞受体２０及び特別選別体１０１へ導かれ、特別遊技状態が生起するか否か興味をもって、遊技球の行方を見ることができる。
【００２９】
又、特定入賞口３ｃの遊技球は、第１検出器５ｃで検出されると、第２振分器１５における凹部５０ａ、５０ｂ、５０ｂの位置を知り、且つ、第２振分器１５に到るまでの所要時間Δｇ±ｄが判っているので、大当たりとなる可能性がある第７連絡路４４及び第５連絡路４１を介して入賞受体２０へ導かれるかの予測ができるし、特別選別体１０１の位置と所要時間Δｈ±ｅによって、特別選別体１０１の凹部５０ａ、５０ｂ、５０ｂの位置を知ることによって、特別入賞口１０３に入賞するか否かの確率を予測することができる。
以上のように、特定入賞口３ｃに入った遊技球が、第１検出器５ｃで検出されると、第２振分器１５及び特別選別体１０１を介して、大当たりを生起する確率を報知手段Ｈに報知することによって、遊技者に興味を持たせることができる。
【００３０】
また、第１検出器で遊技球を検出することによって、以後、第１振分器１０、第２振分器１５や特別選別体１０１を介して、より具体的に、大当たりを生起するか否かの予測を報知手段で遊技者に報知するので、面白味のある遊技を提供することができる。
尚、本発明は、第１振分器１０、第２振分器１５、特別選別体１０１の少なくとも何れかで構成しあればよい。即ち、第１検出器で遊技球を検出した以後、遊技者に有利な大当たりになる確率を予測可能な構成の遊技機であれば、前記第１振分器１０や特別選別体１０１は回転式に限定せず、例えばシーソ式等を介して遊技球の選別が可能に構成してもよい。
また、前記構成の遊技機は、特別選別体１０１を介して大当たり（特別遊技状態）を生起する「確率」を報知する構成であるが、遊技機の機種によっては、特別入賞口１０３に入賞した後に、更に、抽選を実施して大当たりを生起するか否かを選定する形式のものがあり、この形式の遊技機に対しては、前記「確率」は特別入賞口１０３に入賞するか否かを報知することになるので、遊技機の形式を考慮して、報知する「確率の対象」を適宜選定可能である。即ち、本願発明は、第１検出器で遊技球を検出した以後、第１振分器１０等の位置を知って、より正確に遊技者に有利となる特別入賞口１０３に入賞する確率を報知するものであるので、その目的、機種等が前記構成に限定されない。
【００３１】
又、特別入賞装置Ｌの頂部に、遊技球が入賞し易い状態と、し難い状態に変更可能な開閉扉４が取り付けてあり、装置入賞口９４ａに遊技球が入賞する条件で開閉扉４を開成する構成であるが、この開閉扉４を開成する条件は遊技機の形式によって変更可能であり、例えば、装置入賞口９４ａに入賞すると、抽選が実行され、この抽選の結果によって、開閉扉４を開成するように構成してもよい。
又、前記の遊技価値は「ラウンド数」を採用したが、遊技機の形式によって異なるものを採用できることは言うまでもないし、前記構成を適宜組合せて構成してもよいことは言うまでもない。
【００３２】
【発明の効果】
請求項１の遊技機は、遊技球が特定入賞口に入って第１検出器で検出されたとき、その遊技球が第１検出器から特別選別体に到るに要する所要時間から、遊技球が特別選別体を介して特別入賞口に入賞する確率が判るので興趣の向上を図ることができる。
又、請求項２の遊技機は、所要時間にバラツキ時間を考慮しているので、更に、特別入賞口に入賞する確率が変化し、面白味を発揮する表示となる。
【図面の簡単な説明】
【図１】遊技機の正面図である。
【図２】特別入賞装置の正面図である。
【図３】図２のＡ〜Ａ断面図である。
【図４】図３のＢ〜Ｂ矢視図である。
【図５】特別入賞装置の裏面図である。
【図６】図２のＣ〜Ｃ断面図である。
【図７】遊技球の選択された経路を説明する図である。
【図８】遊技球の選択された他の経路を説明する図である。
【図９】遊技球の選択された他の経路を説明する図である。
【図１０】（Ａ）（Ｂ）はタイマＴと特別選別体１０１の凹部５０ａ、５０ｂ、５０ｂの位置関係を示す図である。
【符号の説明】
３（３ａ、３ｂ、３ｃ）  特定入賞口
４  開閉扉
５（５ａ、５ｂ、５ｃ）  第１検出器
１０  第１振分器
１１  回転体
１５  第２振分器
１６  回転体
２０  入賞受体
２３  特別出口
９４ａ  装置入賞口
１０１  特別選別体
１０２  普通入賞口
１０３  特別入賞口
【図１】
0004281859.tif 000002
【図２】
0004281859.tif 000003
【図３】
0004281859.tif 000004
【図４】
0004281859.tif 000005
【図５】
0004281859.tif 000006
【図６】
0004281859.tif 000007
【図７】
0004281859.tif 000008
【図８】
0004281859.tif 000009
【図９】
0004281859.tif 000010
【図１０】
0004281859.tif 000011